(57)【要約】【課題】  蔓性植物の蔓を絡ませるための折り畳み可能な支持枠において、使用状態の姿勢の安定性を高める。【解決する手段】  両端に支柱３を具えた枠体２、2aを起立状態で対向させ、両枠体の対向する支柱３、3aどうしを内側に２つ折り可能な繋ぎ杆５によって連結する。繋ぎ杆の中央の枢支連結部６の回転中心軸60、及び支柱３、3aに対する両端の回転中心軸は、支柱と同じ方向を向いているため、枠体２、2aを相手枠体側に押す力が作用しても、繋ぎ杆が容易に屈曲することはなく、開き状態の支持枠１の姿勢の安定性を向上できる。【選択図】  図１
0003103018.tif 000002
【実用新案登録請求の範囲】
【請求項１】
幅方向の両側に支柱を具えた扁平な一対の枠体を起立状態で対向させ、両枠体の対向する支柱どうしを折畳み可能な繋ぎ杆によって連結した植物の支持枠において、枠体は支柱と、支柱間に複数段に設けられた連結杆とによって形成され、繋ぎ杆は、対向する枠体の支柱間に複数段に設けられ、各繋ぎ杆はその中央部にて支持枠の軸心側へ２つ折り可能で、対向する枠体が互いに接近する様に折畳みできる植物の支持枠。
【請求項２】
連結杆及び繋ぎ杆の夫々の両端に、支柱を着脱可能に嵌めて保持できる合成樹脂製の抱き部が形成され、支柱と連結杆と繋ぎ杆とに分解できる請求項１に記載の植物の支持枠。
【請求項３】
連結杆及び繋ぎ杆は下段から上段へ徐々に長く形成され、上方側が徐々に拡大している請求項１又は２に記載の植物の支持枠。
【請求項４】
連結杆及び繋ぎ杆の支柱に対する抱き部は、支柱の傾きに対応して抱き部が弾性変形している請求項２又は３に記載の植物の支持枠。
【請求項５】
全ての繋ぎ杆の高さ位置は異なり、繋ぎ杆を内側に折り畳んだ状態で互いに相手枠体の繋ぎ杆に干渉しない請求項１乃至４の何れかに記載の植物の支持枠。
【請求項６】
繋ぎ杆の内面には、繋ぎ杆を内側に折り畳んだ状態で隣り合う連結杆が嵌まる収容部が形成されている請求項１乃至５の何れかに記載の植物の支持枠。
【請求項７】
繋ぎ杆は一対のアームの端部どうしを枢支連結して形成され、該枢支連結部は、一方のアームの端部の上下面に、アームからはみ出す様に軸孔付きの合成樹脂製板片を突設し、他方のアームの端部に上下に突出する軸部を突設し、両板片を互いに離れる方向に弾性変形させて軸孔に該軸部を嵌め込んでいる請求項１乃至６の何れかに記載の支持枠。
【考案の詳細な説明】
【技術分野】
【０００１】
本考案は、朝顔等の蔓性植物を栽培する際に、蔓を絡ませて支持できる支持枠に関するものである。
【背景技術】
【０００２】
従来のこの種支持枠として、平らに折り畳みができ、立体的に開いて使用できるものが種々提案されている。
例えば、図１４(ａ)に示す支持枠(１)は、幅方向の両端に支柱(３)(３)、(3a)(3a)を具えた扁平な一対の枠体(２)(2a)を起立状態で対向させ、両枠体(２)(2a)の対向する支柱(３)(3a)間を繋ぎ杆(５)(５)にて枢支連結して構成されている(特許文献１)。
繋ぎ杆(５)は、両支柱(３)(3a)の軸心を通る面と平行な面内で回動可能に該支柱(３)(3a)に連結されており、図１４(ｂ)に示す如く、対向する枠体(２)(2a)が接近する様に支持枠(１)を折り畳むことができる。
【０００３】
又、図１５(ａ)に示す支持枠(１)は、上記図１４(ａ)の支持枠の繋ぎ杆(５)を、２つ折り式繋ぎ杆(5a)に代えたものである。該繋ぎ杆(5a)は、２つのアーム(51)(51)の端部どうしを枢支連結して形成され、両支柱(３)(3a)の軸心を通る面と平行な面内で、２つ折り可能である(特許文献１)。
図１５(ｂ)に示す如く、繋ぎ杆(5a)を中央の枢支連結部で２つ折りして、枠体(２)(2a)どうしが接近する様に支持枠(１)を折り畳みできる。
【０００４】
【特許文献１】特開２００２−３３５７７２号公報(図１、図３)
【考案の開示】
【考案が解決しようとする課題】
【０００５】
図１４(ａ)の支持枠の問題点は、支持枠(１)を折り畳んだ際に、折畳み前より高さが繋ぎ杆(５)の長さだけ大きくなってしまうことである。
又、図１４(ａ)の支持枠(１)は、繋ぎ杆(５)両端の支柱(３)(3a)に対する回転中心軸(60)(60)は支柱(３)(3a)と直交している。このため、支持枠(１)を立体的に開いた状態において、支持枠(１)を畳む様な側方向の力が作用すれば、繋ぎ杆(５)(５)が容易に回動し、支持枠(１)が揺れ動くのである。
図１５(ａ)の支持枠(１)は折り畳んでも高さが大きくならない。しかし繋ぎ杆(5a)は、図１４(ａ)の繋ぎ杆(５)と同様にして支柱(３)(3a)に対する両端の回転中心軸(60)(60)は、支柱(３)(3a)と直交している。然も、繋ぎ杆(5a)の中央枢支連結部の回転中心軸(60)も支柱(３)(3a)と直交しており、支持枠(１)を畳む方向の力に対して、図１４(ａ)の支持枠(１)よりも揺れ動き易く、安定性に欠ける。
本考案は、折り畳んでも高さが大きくならず、又、支持枠を畳む方向の力が作用しても揺動することを抑えることができる支持枠を明らかにするものである。
【課題を解決するための手段】
【０００６】
本考案の支持枠は、幅方向の両端に支柱(３)(３)、(3a)(3a)を具えた扁平な一対の枠体(２)(2a)を起立状態で対向させ、両枠体(２)(2a)の対向する支柱(３)(3a)、(３)(3a)どうしを２つ折り可能な繋ぎ杆(５)によって連結した植物の支持枠(１)において、枠体(２)(2a)は支柱(３)(３)、(3a)(3a)と支柱間に複数段に設けられた連結杆(４)(４)(４)、(4a)(4a)(4a)とによって形成され、繋ぎ杆(５)は、支柱(３)(3a)、(３)(3a)間に複数段に設けられ、各繋ぎ杆(５)はその中央部にて支持枠(１)の軸心(10)側へ２つ折り可能である。
【考案の効果】
【０００７】
繋ぎ杆(５)は、支持枠(１)の軸心(10)側へ２つ折り可能であるから、支持枠(１)を畳んでも、支持枠(１)の高さが大きくなることはない。
又、繋ぎ杆(５)両端の支柱(３)(3a)に対する回転中心軸(60)(60) 及び、繋ぎ杆(５)中央の枢支連結部(６)の回転中心軸(60)は、支柱(３)(3a)とほぼ同じ方向を向いているため、枠体(２)(2a)を相手枠体側に押す力が作用しても、繋ぎ杆(５)が容易に２つに折れることはなく、開き状態の支持枠(１)の姿勢の安定性がよくなる。
【考案を実施するための最良の形態】
【０００８】
図１は、植木鉢(８)上に支持枠(１)を立設した状態を示している。
植木鉢(８)は略直方体であって、上面に長方形の栽培穴(81)と該穴の四隅に接近して支持枠(１)用の差込穴(82)を開設している。
栽培穴(81)に土を容れて、朝顔等の蔓性植物を栽培する。
【０００９】
支持枠(１)は、幅方向の両端に支柱(３)(３)、(3a)(3a)を具えた扁平な一対の枠体(２)(2a)を起立状態で対向させ、両枠体(２)(2a)の対向する支柱(３)(3a)、(３)(3a)どうしを内向きに、即ち、支持枠(１)の軸心(10)へ２つ折り可能な繋ぎ杆(５)によって連結して構成される。
支持枠(１)の全ての構成部品は合成樹脂にて形成されている。
【００１０】
両枠体(２)(2a)は、夫々２本の支柱(３)(３)、(3a)(3a)と支柱間に３段に設けられた連結杆(４)(４)(４)、(4a)(4a)(4a)とによって形成される。
支柱(３)(3a)はパイプ状の軸体である。
連結杆(４)(4a)は両端に、支柱(３)(3a)を嵌めて保持する抱き部(41)(41)、(42)(42)を一体に具えている。
抱き部(41)(42)は、図２に示す如く、支柱(３)(3a)の外径より内径が僅か小さい筒体の周壁の一箇所を支柱(３)(3a)の外径より少し狭い幅に開口(43)して形成されている。該開口(43)を弾性変形させて支柱(３)(3a)を側方向から抱き部(41)に嵌め込みでき、抱き部(41)の弾性復帰力で支柱(３)(3a)からずり落ちない様に緊密に且つ、着脱可能に支柱(３)(3a)に嵌合できる。
連結杆(４)(4a)の両端の抱き部(41)(41)、(42)(42)の軸心(44)(44)は平行である。
実施例では、最上段の連結杆(４)(4a)の抱き部(41)(41)は上端が閉塞してキャップ体を呈しており、これによって組立時の美観の向上が図れ、又、支柱(３)(3a)に対する高さ位置が決まる。
最上段の連結杆(４)(4a)の中央部に、栽培者の名前や植物の種類を表示するためのプレート(45)が一体成形されている。
【００１１】
上記枠体(２)(2a)を連結する繋ぎ杆(５)は、対向する枠体(２)(2a)の支柱(３)(3a)、(３)(3a)間に、３段ずつ設けられる。
各繋ぎ杆(５)は、一対のアーム(51)(51)の先端どうしを枢支連結し、両アームの外端に支柱(３)(3a)に嵌合する抱き部(56)(56)を形成している。
図３に示す如く、抱き部(56)(56)は、前記連結杆(４)(4a)の抱き部(42)と同様の構成であって、支柱(３)(3a)の外径より内径が僅か小さい筒体の周壁の一箇所を支柱(３)(3a)の外径より少し狭い幅で開口(57)して形成される。該開口(57)を開く様にして支柱(３)(3a)を側方向から抱き部(41)に緊密に且つ、回転可能、着脱可能に嵌合できる。
【００１２】
繋ぎ杆(５)中央の枢支連結部(６)は、図４に示す如く、両アーム(51)(51)の端部に突設した取付け片(52)(54)の間に、カラー(63)を挟み、取付け片(52)(54)の上下からフランジ(62)付き筒部材(61)とフランジ(65)付き軸部材(64)を嵌め込んで構成される。
上側の取付け片(52)には筒部材(61)が緊密に嵌まる孔(53)が開設されている。
軸部材(64)は筒部材(61)に緊密に嵌まる太さに形成され、筒部材(61)の孔内面と軸部材(64)の周面には周方向に複数の溝条形成され、抜止めが図られる。
下側の取付け片(54)には軸部材(64)が回転可能に嵌まる孔(55)が開設されている。
図５は、枢支連結部(６)の断面を示しており、両アーム(51)(51)の取付け片(52)(54)の間にカラー(63)を介装し、上方から取付け片(52)(54)とカラー(63)に筒部材(61)を嵌め込み、下方から該筒部材(61)に軸部材(64)を嵌め込んでいる。
図３に示す如く、繋ぎ杆(５)の枢支連結部(６)の回転中心軸(60)、及び両端の抱き部(56)(56)の回転中心軸(60)(60)の軸心は互いに平行である。
【００１３】
図６に示す如く、繋ぎ杆(５)には、該繋ぎ杆(５)が真直状態を越えて枢支連結部(６)から折り畳み方向とは逆方向(支持枠(１)の外方向))に屈曲する最大角度αを規制する屈曲規制手段(59)が設けられる。
実施例の屈曲規制手段(59)は、両アーム(51)(51)の枢支連結側端面(58)(58)によって構成され、繋ぎ杆(５)が真直状態を越えて外側に少し飛び出す様に屈曲させた状態でアーム(51)(51)の端面(58)(58)どうしが衝突して、それ以上の屈曲は防止される。
実施例ではαは、１９０°程度である。
【００１４】
実施例では、夫々３段に設けられる連結杆(４)(４)(４)、(4a)(4a)(4a)、繋ぎ杆(５)(５)(５)は、上段ほど少しずつ長く形成されている。
【００１５】
支持枠(１)の組立に際し、最初に夫々２本の支柱(３)(３)、(3a)(3a)を３本の連結杆(４)(4a)によって連結して枠体(２)(2a)を組み立てる。このとき、両枠体(２)(2a)の各段の連結杆(４)(4a)の高さが揃い、下段と中段の間隔と、中段と上段の間隔がほぼ同じになる様にする。  次に、枠体(２)(2a)を対向させて、枠体(２)(2a)の対向する支柱(３)(3a)、(３)(3a)間を繋ぎ杆(５)にて繋ぐ。このとき、繋ぎ杆(５)を、中央の枢支連結部(６)から内側に折り畳める様に取り付ける。各繋ぎ杆(５)の高さ位置は、繋ぎ杆(５)両端の抱き部(56)(56)が前記連結杆(４)(4a)両端の抱き部(41)(42)に接して隣り合う高さとすればよい。
【００１６】
然して、図６の実線で示す如く、各繋ぎ杆(５)のアーム(51)(51)を最大開いた状態の支持枠(１)の各支柱(３)(3a)の下端を、図１に示す如く、植木鉢(８)の４つの差込み穴(82)に差し込んで、植木鉢(８)上に支持枠(１)を立設する。
隣り合う支柱(３)(3a)、(３)(３)、(3a)(3a)を連結する連結杆(４)(4a)及び繋ぎ杆(５)は、夫々上段ほど少しずつ長く形成されているため、支持枠(１)は上拡がりとなり体裁がよい。
又、支持枠(１)が上拡がりとなって、各支柱(３)(3a)は、外側に少し傾くため、支柱(３)(3a)と、連結杆(４)(4a)及び繋ぎ杆(５)の各抱き部(41)(56)に拗れが生じ、抱き部(41)(42)(56)が弾性変形し、支柱(３)(3a)と連結杆(４)(4a)及び繋ぎ杆(５)の係合力が強まる。
【００１７】
図１の矢印Ａで示す様に、支持枠(１)を折り畳む外力、即ち、各繋ぎ杆(５)を該杆の長手方向に押す外力が作用しても、繋ぎ杆(５)の枢支連結部(６)の回転中心軸(60)は支柱(３)(3a)とほぼ同じ方向を向いているため、繋ぎ杆(５)が中央の枢支部(６)から容易に折れ曲がることはなく、開き状態の支持枠(１)の姿勢の安定性がよくなる。
然も実施例では、各繋ぎ杆(５)は、真直状態を越えて、２つ折り方向と反対側へ少し屈曲し、屈曲規制手段(59)によって、この状態以上に屈曲することは阻止されているため、単に繋ぎ杆(５)の軸方向から該繋ぎ杆(５)を曲げる力が作用しても、繋ぎ杆(５)が枢支連結部から内側へも外側へも折れ曲がることはない。
連結杆(４)(4a)を該杆の軸方向から曲げる様な外力が作用しても、連結杆(４)(4a)はもともと折れ曲がる様には形成されていない。
上記理由により、開き状態の支持枠(１)の姿勢は安定するのである。
【００１８】
図７は、繋ぎ杆(５)を形成するアーム(51)(51)と該アームの枢支連結部(６)の他の実施例を示している。
支持枠(１)に対して繋ぎ杆(５)は、隣り合う連結杆(４)(4a)と同じ高さに配備され、アーム(51)(51)は、繋ぎ杆(５)を内側に２つ折りした際に、連結杆(４)(4a)を収容する収容部(50)(50)を有している。実施例ではアーム(51)は断面コ字状に形成され、溝部が収容部(50)となっている。
繋ぎ杆(５)の枢支部(６)は、一方のアーム(51)の内端の上下面に、２つの円形の板片(66)(66)をその中心に開設した軸孔(67)(67)がアーム(51)の外端から少し外側に位置する様に互いに平行に突設し、他方のアーム(51)の内端の外縁に突設した軸部(69)(69)を該板片(66)(66)の軸孔(67)(67)に回転可能に嵌めて構成される。
図８に示す如く、板片(66)(66)の対向する面には、軸孔(67)(67)へ向かって案内溝(68)(68)が開設されている。
図９(ｂ)に示す如く、両板片(66)(66)の外端を互いに接近する様に力を加え、アーム(51)を弾性変形させて、板片(66)(66)の案内溝(68)(68)側の間隔を開き、他方のアーム(51)の軸部(69)(69)を案内溝(68)(68)から軸孔(67)(67)に嵌めると、アームの弾性復帰で軸孔(67)から軸部(69)が脱出することを防止できる。
尚、板片(66)の外端部(66a)は、繋ぎ杆(５)を伸ばす際に繋ぎ杆(５)を外側に引っ張るための摘みとして使用することができる。
【００１９】
図１０は、繋ぎ杆(５)が不用意に内側に２つ折れすることを防止する軟係止手段(７)を示している。
繋ぎ杆(５)は、図７で説明した断面コ字状の２本のアーム(51)(51)にて形成され、アーム(51)の外端を塞ぐ端板(71)の内面に凸部(72)を有している。
連結杆(４)の支柱(３)に対する抱き部(42)の外周面にも凸部(73)が突設されている。
２つ折り状態の繋ぎ杆(５)を伸ばしていくと、繋ぎ杆(５)が真直ぐに伸びる際に、アーム(51)上の凸部(72)が、連結杆(４)上の凸部(73)を樹脂の弾性変形によって無理に越える。これによって、繋ぎ杆(５)が不用意に折り畳み状態に戻ることが阻止され、又、連結杆(４)は繋ぎ杆(５)の端板(71)に当たって、繋ぎ杆(５)と連結杆(４)(4a)の成す角度が必要以上に開くことは阻止される。
前記図６に示す、屈曲規制手段(59)と上記図１０の軟係止手段(７)を併用することもできる。
【００２０】
図１２は、同じ段の繋ぎ杆(５)(５)の高さを違えた実施例であって、繋ぎ杆(５)(５)を内側に折り畳んでも、互いに相手繋ぎ杆(５)に干渉することはないので、繋ぎ杆(５)を長く形成することができる。
【００２１】
実施例の支持枠(１)は、支柱(３)(3a)と連結杆(４)(4a)と繋ぎ杆(５)とに分解でき、嵩張りを少なくして、流通、保管ができる。
支柱(３)(３)と連結杆(４)(４)(４)を一体成形して、分解できない枠体(２)(2a)で本考案を実施することもできる。
【００２２】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【図面の簡単な説明】
【００２３】
【図１】植木鉢上に立設した支持枠の斜面図である。
【図２】連結杆の斜面図である。
【図３】２つ折り状態の繋ぎ杆の斜面図である。
【図４】繋ぎ杆の枢支連結部の分解斜面図である。
【図５】同上の枢支連結部の断面図である。
【図６】同上の枢支連結部の平面図である。
【図７】他の実施例の繋ぎ杆の斜面図である。
【図８】同上の繋ぎ杆の枢支連結部の分解斜面図である。
【図９】２つのアームを枢支連結する手順の説明図であって、ａ図は連結前、ｂ図は連結途上、ｃ図は連結後の状態を示している。
【図１０】軟係止手段を示す斜面図である。
【図１１】ａ図は繋ぎ杆が伸びて軟係止手段が利いている状態、ｂ図は軟係止が利く直前の状態、ｃ図は繋ぎ杆)が２つ折れして軟係止が外れている状態の説明図である。
【図１２】繋ぎ杆の高さを違えた支持枠の要部斜面図である。
【図１３】同上の支持枠を折り畳んだ要部正面図である。
【図１４】ａ図は従来例の支持枠の斜面図、ｂ図は該支持枠を折り畳んだ状態を示す。
【図１５】ａ図は別の従来例の実施例の支持枠の斜面図、ｂ図は該支持枠を折り畳んだ状態を示す。
【符号の説明】
【００２４】
１  支持枠
２  枠体
３  支柱
４  連結杆
42  抱き部
５  繋ぎ杆
51  アーム
６  枢支部
７  軟係止手段
【図１】
0003103018.tif 000003
【図２】
0003103018.tif 000004
【図３】
0003103018.tif 000005
【図４】
0003103018.tif 000006
【図５】
0003103018.tif 000007
【図６】
0003103018.tif 000008
【図７】
0003103018.tif 000009
【図８】
0003103018.tif 000010
【図９】
0003103018.tif 000011
【図１０】
0003103018.tif 000012
【図１１】
0003103018.tif 000013
【図１２】
0003103018.tif 000014
【図１３】
0003103018.tif 000015
【図１４】
0003103018.tif 000016
【図１５】
0003103018.tif 000017
【手続補正書】
【提出日】平成16年3月26日(2004.3.26)
【手続補正１】
【補正対象書類名】明細書
【補正対象項目名】００１２
【補正方法】変更
【補正の内容】
【００１２】
繋ぎ杆(５)中央の枢支連結部(６)は、図４に示す如く、両アーム(51)(51)の端部に突設した取付け片(52)(54)の間に、カラー(63)を挟み、取付け片(52)(54)の上下からフランジ(62)付き筒部材(61)とフランジ(65)付き軸部材(64)を嵌め込んで構成される。
上側の取付け片(52)には筒部材(61)が緊密に嵌まる孔(53)が開設されている。
軸部材(64)は筒部材(61)に緊密に嵌まる太さに形成され、筒部材(61)の孔内面と軸部材(64)の周面には周方向に複数の溝条形成され、抜止めが図られる。
下側の取付け片(54)には軸部材(64)が回転可能に嵌まる孔(55)が開設されている。
図５は、枢支連結部(６)の断面を示しており、両アーム(51)(51)の取付け片(52)(54)の間にカラー(63)を介装し、上方から取付け片(52)(54)とカラー(63)に筒部材(61)を嵌め込み、下方から取付け片(54)と該筒部材(61)に軸部材(64)を嵌め込んでいる。
図３に示す如く、繋ぎ杆(５)の枢支連結部(６)の回転中心軸(60)、及び両端の抱き部(56)(56)の回転中心軸(60)(60)の軸心は互いに平行である。
【手続補正２】
【補正対象書類名】図面
【補正対象項目名】図５
【補正方法】変更
【補正の内容】
【図５】
0003103018.tif 000018
【手続補正３】
【補正対象書類名】図面
【補正対象項目名】図１１
【補正方法】変更
【補正の内容】
【図１１】
0003103018.tif 000019
【手続補正４】
【補正対象書類名】図面
【補正対象項目名】図１４
【補正方法】変更
【補正の内容】
【図１４】
0003103018.tif 000020